(57)【要約】【課題】背表紙部分が湾曲しても、背表紙の反対側におけるシートの端部が揃ったファイルと、そのようなファイルの製造方法を得る。【解決手段】背表紙１４、表表紙１６、裏表紙１８を有する表紙１２を準備する。外側から内側に向かうにしたがって幅方向長さが長くなるように、複数のシート３０を配置する。これらのシート３０の間に隔幅部材を挟み、平らに保持した背表紙１４にシート３０の幅方向端部を溶着する。シート３０を背表紙１４に溶着したのち、隔幅部材を抜き取る。シート３０が内側となるように、表表紙１６と裏表紙１８を閉じて、背表紙１４を湾曲させる。【選択図】図１
2011116066.tif 000002
【特許請求の範囲】
【請求項１】
背表紙と前記背表紙の両側に形成される表表紙と裏表紙とを含み、前記表表紙および前記裏表紙を閉じたときに前記背表紙が湾曲する表紙を準備する工程、
幅方向の長さが異なる複数のシートを準備する工程、
外側から内側に向かうにしたがって幅方向長さが長くなるように複数の前記シートを配置するとともに、前記シートの間に隙間を形成するためにそれぞれの前記シートの間に隔幅部材を挟む工程、
平らになるように配置した前記表紙の前記背表紙に複数の前記シートの幅方向の一端側を揃えて溶着する工程、
前記シートの間から前記隔幅部材を除去する工程、および
前記表表紙と前記裏表紙を閉じて前記シートが溶着された側が内側になるとともに外側に向かって突出するように前記背表紙を湾曲させる工程を含む製造方法によって製造された、ファイル。
【請求項２】
前記背表紙との溶着側端部から等距離の位置において全ての前記シートに貫通孔が形成され、前記貫通孔を揃えることにより前記シートの幅方向の一端側を揃えて、前記表紙の前記背表紙に前記シートが溶着される、請求項１に記載のファイル。
【請求項３】
背表紙と前記背表紙の両側に形成される表表紙と裏表紙とを含み、前記表表紙および前記裏表紙を閉じたときに前記背表紙が湾曲する表紙を準備する工程、
幅方向の長さが異なる複数のシートを準備する工程、
外側から内側に向かうにしたがって幅方向長さが長くなるように複数の前記シートを配置するとともに、前記シートの間に隙間を形成するためにそれぞれの前記シートの間に隔幅部材を挟む工程、
平らになるように配置した前記表紙の前記背表紙に複数の前記シートの幅方向の一端側を揃えて溶着する工程、
前記シートの間から前記隔幅部材を除去する工程、および
前記表表紙と前記裏表紙を閉じて前記シートが溶着された側が内側になるとともに外側に向かって突出するように前記背表紙を湾曲させる工程を含む、ファイルの製造方法。
【請求項４】
前記背表紙との溶着側端部から等距離の位置において全ての前記シートに貫通孔が形成され、前記貫通孔を揃えることにより前記シートの幅方向の一端側を揃えて、前記表紙の前記背表紙に前記シートが溶着される、請求項３に記載のファイルの製造方法。
【発明の詳細な説明】
【技術分野】
【０００１】
この発明は、ファイルおよびその製造方法に関し、特にたとえば、複数のシートの間に書類を挟みこんで保持することができるファイルとその製造方法に関する。
【背景技術】
【０００２】
たとえば、熱可塑性樹脂からなる背部と被綴じシートとを溶着することにより製本されたアルバムなどがある。このようなアルバムを作製するには、多数枚の被綴じシートが重合して保持される。これらの被綴じシートの重なり端面に表紙の背部の内側が近付けられ、被綴じシートの重なり端面と表紙の背部との間に発熱体が挿入される。発熱体による加熱により、被綴じシートの重なり端面と表紙の背部が同時に溶融する。この状態で、被綴じシートと表紙の背部との間から発熱体を引き抜き、被綴じシートの重なり端面と表紙の背部とを接触させることにより、被綴じシートと表紙とが溶着される。
【０００３】
このような製本方法で作製されるものとしては、アルバム以外に、名刺ホルダーやはがき整理用ファイルなどがある（特許文献１参照）。
【先行技術文献】
【特許文献】
【０００４】
【特許文献１】特許第２５２３２６１号公報
【発明の概要】
【発明が解決しようとする課題】
【０００５】
しかしながら、このような従来の製本方法で作製されたアルバムなどでは、表紙を閉じたときに、表紙の背部が湾曲すると、それに伴って被綴じシートが引き込まれる。そのため、表紙の背部の反対側において、被綴じシートの端部が不揃いになってしまう。
【０００６】
それゆえに、この発明の主たる目的は、背表紙部分が湾曲しても、背表紙の反対側におけるシートの端部が揃ったファイルと、そのようなファイルの製造方法を提供することである。
【課題を解決するための手段】
【０００７】
この発明は、背表紙と背表紙の両側に形成される表表紙と裏表紙とを含み、表表紙および裏表紙を閉じたときに背表紙が湾曲する表紙を準備する工程と、幅方向の長さが異なる複数のシートを準備する工程と、外側から内側に向かうにしたがって幅方向長さが長くなるように複数のシートを配置するとともに、シートの間に隙間を形成するためにそれぞれのシートの間に隔幅部材を挟む工程と、平らになるように配置した表紙の背表紙に複数のシートの幅方向の一端側を揃えて溶着する工程と、シートの間から隔幅部材を除去する工程と、表表紙と裏表紙を閉じてシートが溶着された側が内側になるとともに外側に向かって突出するように背表紙を湾曲させる工程とを含む製造方法によって製造された、ファイルである。
このようなファイルにおいて、背表紙との溶着側端部から等距離の位置において全てのシートに貫通孔が形成され、貫通孔を揃えることによりシートの幅方向の一端側を揃えて、表紙の背表紙にシートが溶着されるようにすることができる。
また、この発明は、背表紙と前記背表紙の両側に形成される表表紙と裏表紙とを含み、表表紙および裏表紙を閉じたときに背表紙が湾曲する表紙を準備する工程と、幅方向の長さが異なる複数のシートを準備する工程と、外側から内側に向かうにしたがって幅方向長さが長くなるように複数のシートを配置するとともに、シートの間に隙間を形成するためにそれぞれのシートの間に隔幅部材を挟む工程と、平らになるように配置した表紙の背表紙に複数のシートの幅方向の一端側を揃えて溶着する工程と、シートの間から隔幅部材を除去する工程と、表表紙と裏表紙を閉じてシートが溶着された側が内側になるとともに外側に向かって突出するように背表紙を湾曲させる工程とを含む、ファイルの製造方法である。
このようなファイルの製造方法において、背表紙との溶着側端部から等距離の位置において全てのシートに貫通孔が形成され、貫通孔を揃えることによりシートの幅方向の一端側を揃えて、表紙の背表紙にシートが溶着されるようにすることができる。
【０００８】
背表紙を湾曲させたときに、表紙の内側に溶着された複数のシートの中で、外側のシートの引き込み量より内側のシートの引き込み量が多くなる。しかしながら、外側から内側に向かうにしたがって幅方向長さが長くなるように複数のシートを配置して背表紙に溶着することにより、背表紙が湾曲して外側のシートと内側のシートとの間に引き込み量の差があっても、背表紙とは反対側のシート端部を揃えることができる。
シートの間に隔幅部材を挟んだ状態で、シートを背表紙に溶着することにより、隣接するシート間に所定の幅の隙間が生じる。したがって、シート間に複数枚の書類を挟み込んで、ファイルに書類を保持することができる。
また、シートを背表紙に溶着したのちに、シートが溶着された側が内側になるとともに外側に向かって突出するようにして背表紙を湾曲させることにより、全てのシートが表表紙と裏表紙の間で中央部側に集中する。そのため、シート間に１枚の書類を挟みこんだ場合でも、表表紙と裏表紙の間において集中するシート間で書類が保持される。もちろん、隣接するシート間に複数枚の書類を挟みこんだ場合においても、表表紙と裏表紙との間で集中するシートにより、書類が保持される。
背表紙との溶着側端部から等距離の位置において、全てのシートに貫通孔を形成しておくことにより、背表紙を平らにした状態でシートを溶着するときに、シートの貫通孔を揃えることでシートの位置決めを行うことができる。
【発明の効果】
【０００９】
この発明によれば、背表紙が湾曲する表紙に複数のシートを溶着した場合においても、背表紙の反対側においてシートの端部を揃えることができる。
【００１０】
この発明の上述の目的，その他の目的，特徴および利点は、図面を参照して行う以下の発明を実施するための最良の形態の説明から一層明らかとなろう。
【図面の簡単な説明】
【００１１】
【図１】この発明のファイルの一例を示す斜視図である。
【図２】図１に示すファイルに用いられる表紙を示す平面図である。
【図３】図２に示す表紙のＡ−Ａ断面図である。
【図４】背表紙の貫通孔部分におけるシートの状態を示す図解図である。
【図５】図１に示すファイルの背表紙側の外観を示す斜視図である。
【図６】図１に示すファイルの製造工程において、表紙を準備する工程を示す図解図である。
【図７】シートと合紙とを積層する工程を示す図解図である。
【図８】「１」の日付が表示されたインデックスを有するシートの平面図である。
【図９】「２」の日付が表示されたインデックスを有するシートの平面図である。
【図１０】「１６」の日付が表示されたインデックスを有するシートの平面図である。
【図１１】「１７」の日付が表示されたインデックスを有するシートの平面図である。
【図１２】黒いドットが表示されたインデックスを有するシートの平面図である。
【図１３】背表紙にシートを溶着する工程を示す図解図である。
【図１４】表紙に背見出しを形成する工程を示す図解図である。
【図１５】シート間に書類を挟み込んだ状態を示す図解図である。
【発明を実施するための形態】
【００１２】
図１は、この発明のファイルの一例を示す斜視図である。このファイル１０は、たとえば、１か月のうちのそれぞれの日に必要な書類を管理するために用いられる。ファイル１０は、熱可塑性樹脂などで形成された表紙１２を含む。表紙１２は、図２に示すように、長方形状の背表紙１４と、背表紙１４の幅方向の一方側に連続して形成される表表紙１６と、背表紙１４の幅方向の他方側に連続して形成される裏表紙１８とを含む。表表紙１６は、たとえば長方形に形成され、その幅方向の一端側が背表紙１４に連結されている。また、裏表紙１８は、たとえば、幅方向の一端側が円弧状に形成されるとともに、他の３辺が直線状に形成される。そして、裏表紙１８の円弧状部分の反対側の端部が、背表紙１４に連結されている。そして、この実施の形態では、裏表紙１８の幅は、表表紙１６の幅より大きくなるように形成される。背表紙１４、表表紙１６および裏表紙１８は、たとえばシート状の材料を切断することにより、一体的に形成される。
【００１３】
背表紙１４には、その長手方向の上端側から下端側まで並ぶように、複数の４角形の貫通孔２０が形成される。したがって、貫通孔２０の間には、帯状の連結部２２が形成される。背表紙１４と表表紙１６との間および背表紙１４と裏表紙１８との間には、表紙１２の上端から下端にわたってヒンジ溝２４が形成される。さらに、ヒンジ溝２４から間隔を隔ててヒンジ溝２４と平行に、表表紙１６および裏表紙１８の上端から下端にわたって別のヒンジ溝２４が形成される。ヒンジ溝２４は、図３に示すように、表紙１２の一方面および他方面に形成される。表紙１２の一方面側においては、略円弧状の断面形状を有する第１の溝２４ａが形成される。また、表紙１２の他方面側においては、若干窪んだ断面形状を有する第２の溝２４ｂが形成される。そして、第１の溝２４ａの形成された側が表側となり、第２の溝２４ｂの形成された側が内側となるように、表紙１２が折りたたまれる。
【００１４】
断面円弧状の第１の溝２４ａ側は比較的自由に変形するが、断面窪み状の第２の溝２４ｂ側の自由度は低いため、表紙１２を折りたたむと、表表紙１６および裏表紙１８によって背表紙１４に応力がかかる。背表紙１４に形成された貫通孔２０により帯状に形成された連結部２２は、表表紙１６や裏表紙１８に比べて応力に弱いため、外側に向かって突出するように湾曲する。なお、第１の溝２４ａと第２の溝２４ｂとの間の間隔が小さい場合、溝２４部分で表紙１２が折れ曲がりやすく、背表紙１４が湾曲しにくくなる。また、第１の溝２４ａと第２の溝２４ｂとの間の間隔が大きい場合、溝２４部分で表紙１２が折れ曲がりにくくなる。そのため、表紙１２を閉じたときに、表表紙１６と裏表紙１８とが開いた状態となったり、背表紙１４が応力に耐えられなくなり、連結部２２の中央部で折れ曲がって背表紙１４が湾曲しなくなったりする。そのため、第１の溝２４ａと第２の溝２４ｂとの間の間隔は、背表紙１４がきれいに湾曲するような間隔となるように設定される。
【００１５】
湾曲する背表紙１４の内側には、複数のシート３０が形成される。シート３０は、たとえば熱可塑性樹脂などで長方形状に形成される。つまり、シート３０の幅方向の一端側は、背表紙１４の内側に密着するように、長手方向において直線状となるように形成される。そして、隣接するシート３０が所定の間隔を隔てて配置されるようにして、シート３０の幅方向の一端側が、背表紙１４に溶着される。このとき、背表紙１４の連結部２２にシート３０が溶着されるが、貫通孔２０部分においては、図４に示すように、シート３０の端部が溶融して、隣接するシート３０の端部を連結するブリッジ３０ａが形成される。背表紙１４は湾曲しているため、表表紙１６と裏表紙１８との間において、全てのシート３０が背表紙１４から遠ざかるにしたがって表表紙１６と裏表紙１８の間の中央部に向かって集中する。したがって、表紙１２を閉じたとき、背表紙１４との溶着部においては、それぞれのシート３０が互いに間隔を隔てているが、背表紙１４から離れた部分においては、表表紙１６と裏表紙１８との間において全てのシート３０が密着した状態となる。
【００１６】
シート３０には、たとえば５つの円形の貫通孔３２が形成される。貫通孔３２は、たとえば正方形の各頂点とその中央部に対応する位置に形成される。さらに、シート３０の幅方向において、背表紙１６との溶着部の反対側端部に、インデックス３４が形成される。インデックス３４は、シート３０の幅方向の端部の一部が突出するように形成される。
【００１７】
この実施の形態では、表表紙１６側の１６枚のシート３０に、互いに位置をずらして日付表示用のインデックス３４が形成される。このとき、表表紙１６側から内側に向かうにしたがって、シート３０の長手方向の一端側から他端側に位置をずらしてインデックス３４を形成することにより、全てのシート３０のインデックス３４が見えるように配置することができる。そして、表表紙１６側から内側に向かうにしたがって数字が大きくなるように、各インデックス３４に「１」から「１６」までの日付が印刷される。それにより、シート３０がまとまったとき、シート３０の長手方向の一端側から他端側に向かって、「１」から「１６」までの日付が順序よく並んで表示される。
【００１８】
さらに、「１６」の日付が表示されたインデックス３４に続いて、「１７」から「３１」までの日付が表示されたインデックス３４を有するシート３０が配置される。そして、「３１」の日付が表示されたインデックス３４を有するシート３０に続いて、つまり裏表紙１８側に、黒いドットが表示されたインデックス３４を有するシート３０が配置される。「１７」から黒いドットまで表示されたインデックス３４を有するシート３０の幅は、「１」から「１６」まで表示されたインデックス３４を有するシート３０の幅より大きく形成される。それにより、「１」から「１６」までの表示と「１７」から黒いドットまでの表示とが段違いに表示され、全ての表示を見ることができる。なお、「１７」から黒いドットまでの表示がされたインデックス３４についても、「１」から「１６」までの表示がされたインデックス３４と同様の位置関係となるように、各シート３０にインデックス３４が形成されている。
【００１９】
裏表紙１８の円弧状の端部は、「１７」から黒いドットまで表示されたインデックス３４より外側にくるように、裏表紙１８の幅が設定される。また、「１」から「１６」まで表示されたインデックス３４が見えるように、表表紙１６の幅が設定される。したがって、表紙１２を閉じたとき、表表紙１６側から見ると、下から順に、裏表紙１８、「１７」から黒いドットまで表示されたインデックス３４、「１」から「１６」まで表示されたインデックス３４、表表紙１６が見えることになる。
【００２０】
さらに、図５に示すように、背表紙１４の外面側を覆うように、表紙１２の長手方向の上端から下端まで、背見出し４０が形成される。背見出し４０は、たとえば透明な長方形状の熱可塑性フィルムを背表紙１４と平行な位置で表表紙１６および裏表紙１８に溶着することにより形成される。そして、背見出し４０に背見出し紙４２を挿入することにより、必要な情報を表示することができる。このとき、裏表紙１８側よりも表表紙１６側のほうに多くの背見出し４０がくるようにすることにより、表表紙１６側から背見出し紙４２に表示された情報が確認しやすくなる。
【００２１】
このようなファイル１０を作製するために、図６に示すように、表紙１２が準備される。次に、図７に示すように、複数のシート３０が準備される。シート３０の大きさは、ファイル１０に保管する書類の大きさより大きくなるように設定される。ここで、図８に示すように、「１」の日付が表示されたインデックス３４を有するシート３０の幅をＬ（１）とし、図９に示すように、「２」の日付が表示されたインデックス３４を有するシート３０の幅をＬ（２）とすると、Ｌ（２）がＬ（１）より長くなるように形成される。同様にして、図１０に示すように、「１６」の日付が表示されたインデックス３４を有するシート３０の幅Ｌ（１６）まで、順次シート３０の幅が長くなるように形成される。
【００２２】
さらに、図１１に示すように、「１７」の日付が表示されたインデックス３４を有するシート３０の幅Ｌ（１７）は、「１６」の日付が表示されたインデックス３４を有するシート３０の幅Ｌ（１６）より大きく形成される。これは、図１に示すように、「１」から「１６」までの日付が表示されたインデックス３４と「１７」から黒いドットまで表示されたインデックス３４とが、段違いに配置されるようにするためである。そして、「１７」の日付が表示されたインデックス３４を有するシート３０の幅Ｌ（１７）から、図１２に示すような黒いドットが表示されたインデックス３４を有するシート３０の幅Ｌ（ｄｏｔ）まで、順次幅が小さくなっていくように、各シート３０が形成される。したがって、表表紙１６側および裏表紙１８側から中央部のシート３０に向かって幅が大きくなるように各シート３０が配置されている。
【００２３】
なお、それぞれのシート３０において、複数の円形の貫通孔３２のうちの対応するものは、シート３０の長手方向の同じ位置に形成される。また、それぞれのシート３０において、複数の円形の貫通孔３２のうちの対応するものは、シート３０のインデックス３４とは反対側の幅方向端部から等距離となる位置に形成される。したがって、幅の異なるシート３０であっても、長手方向の端部およびインデックス３４とは反対側の幅方向端部を揃えて重ねることにより、全てのシート３０の貫通孔３２を揃えることができる。
【００２４】
このように配置されたシート３０の間に、隔幅部材としての合紙５０が挟み込まれる。合紙５０は、図７に示すように、所定の厚みを有する長方形状に形成される。合紙５０の長手方向の長さは、シート３０の長手方向と同じ長さとなるように形成される。そして、合紙５０の長手方向の両端に、一部が突出する突出部５０ａが形成される。また、合紙５０の幅方向の長さは、たとえばシート３０の幅方向の長さより長くなるように形成される。
【００２５】
合紙５０には、３つの貫通孔５２が形成される。合紙５０の貫通孔５２は、インデックス３４とは反対側のシート３０の幅方向端部に近い３つの貫通孔３２に対応して形成される。つまり、シート３０の長手方向と合紙５０の長手方向とを合わせるとともに、インデックス３４とは反対側のシート３０の幅方向端部と合紙５０の幅方向の一端側とを合わせるようにして、シート３０と合紙５０とを重ねたとき、インデックス３４とは反対側のシート３０の幅方向端部側にある３つの貫通孔３２と合紙５０の貫通孔５２とが重なるように形成される。このような合紙５０を複数のシート３０の間に挟み込み、シート３０の貫通孔３２と合紙５０の貫通孔５２とを揃えることにより、全てのシート３０について、インデックス３４とは反対側の端部が揃うように配置することができる。
【００２６】
次に、図１３に示すように、表紙１２の背表紙１４にシート３０が溶着される。このとき、背表紙１４が平らになるように、表紙１２が保持される。そして、表紙１２の第２の溝２４ｂが形成された側において、インデックス３４とは反対側のシート３０の幅方向端部が背表紙１４側に配置される。この状態で、背表紙１４とシート３０の対向部を溶融したのち互いを押し当てて溶着することにより、連結部２２部分において、シート３０の幅方向端部が接続され、背表紙１４の貫通孔２０部分において、シート３０の端部間にブリッジ３０ａが形成される。このように、合紙５０を挟んでシート３０を背表紙１４に溶着することにより、隣接するシート３０間に合紙５０の厚み分の隙間を形成することができる。
【００２７】
次に、図１４に示すように、表紙１２には、シート３０が溶着された側と反対側に長方形状の透明な樹脂フィルムが溶着され、背見出し４０が形成される。ここで、上述のように、表表紙１６側が裏表紙１８側より多く背見出し４０で覆われるようにして、背見出し４０の幅方向の両側が表紙１２に溶着される。この背見出し４０に、背見出し紙４２が挿入される。次に、突出部５０ａを利用して合紙５０を引き抜くことにより、シート３０間の合紙５０が除去される。
【００２８】
そして、シート３０が内側となるようにして、表表紙１６と裏表紙１８とが閉じられる。それにより、背表紙１４がシート３０と反対側に突出するように湾曲し、図１に示すファイル１０が得られる。なお、シート３０の幅が異なるため、背表紙１４が平らな状態でシート３０を溶着したとき、インデックス３４側のシート３０の幅方向端部は不揃いとなる。しかしながら、表紙１２を閉じることにより、背表紙１４が湾曲するため、中央部にあるシート３０ほど背表紙１４側に引き込まれる。複数のシート３０は、外側から内側に向かうにしたがって、幅が大きくなるように配置されているため、表紙１２を閉じて背表紙１４が湾曲することにより、インデックス３４側のシート３０の幅方向端部が揃えられる。このように、表紙１２を閉じたときに、シート３０のインデックス３４側の幅方向端部を揃えるために各シート３０の幅を変えているが、背表紙１４の幅、曲率半径および隣接するシート３０間の間隔などにより、表紙１２を閉じたときのシート３０の引き込み量が異なる。そのため、表紙１２を閉じたときのシート３０の引き込み量に応じて、隣接するシート３０間の幅の差が設定される。
【００２９】
このようにして得られたファイル１０は、たとえば１か月分の書類管理用ファイルとして用いられる。たとえば、その月の１日に必要な書類６０は、図１に示すように、「１」の日付が表示されたインデックス３４を有するシート３０と「２」の日付が表示されたインデックス３４を有するシート３０との間に挟み込まれる。ここで、隣接するシート３０間には、合紙５０の厚み分の隙間が形成されているが、図１５に示すように、背表紙１４が湾曲しているため、背表紙１４から離れるにしたがって、表表紙１６と裏表紙１８との間で全てのシート３０が中央側に集合し、隣接するシート３０が密着した状態となる。そのため、表紙１２を閉じれば、隣接するシート３０によって書類６０が押し付けられ、書類６０はファイル１０から外れることなく保持される。書類６０が複数枚の場合であっても、隣接するシート３０間に合紙５０の厚み分の隙間があるため、書類６０をまとめてシート３０間に保持することができる。
【００３０】
ファイル１０に保持した書類を取り出すときには、必要とする日付が表示されたインデックス３４を有するシート３０を開くことにより、書類６０を取り出すことができる。ここで、シート３０には円形の貫通孔３２が形成されているため、シート３０と書類６０との間が真空状態となって、シート３０に書類６０が貼り付くことを防止することができる。このように、このファイル１０は、隣接するシート３０間に書類を挟み込むだけで保持することができるため、書類６０の出し入れが容易である。
【００３１】
このように、このファイル１０を用いれば、１か月のそれぞれの日に必要な書類を管理することができる。なお、シート３０の数は任意に変更可能であり、たとえば１週間分の書類を管理するのであれば、「１」から「７」までの日付が表示されたインデックス３４を有するシート３０と、ドットが表示されたインデックス３４を有するシート３０とを用いればよい。また、２週間分の書類を管理するのであれば、「１」から「１４」までの日付が表示されたインデックス３４を有するシート３０と、ドットが表示されたインデックス３４を有するシート３０を用いればよい。さらに、インデックス３４の表示としては、日付に限らず、ファイル１０の用途に応じて他の項目を表示してもよい。
【００３２】
また、この発明の製造方法を用いることにより、シート３０を溶着した背表紙１４が湾曲しているにもかかわらず、インデックス３４側の幅方向端部が揃うように、シート３０を配置することができる。そのため、インデックス３４をきれいに並べることができ、インデックス４の表示を見やすくすることができる。
【符号の説明】
【００３３】
１０  ファイル
１２  表紙
１４  背表紙
１６  表表紙
１８  裏表紙
２０  貫通孔
２２  連結部
２４  溝
３０  シート
３２  貫通孔
３４  インデックス
４０  背見出し
４２  背見出し紙
５０  合紙
６０  書類
【図１】
2011116066.tif 000003
【図２】
2011116066.tif 000004
【図３】
2011116066.tif 000005
【図４】
2011116066.tif 000006
【図５】
2011116066.tif 000007
【図６】
2011116066.tif 000008
【図７】
2011116066.tif 000009
【図８】
2011116066.tif 000010
【図９】
2011116066.tif 000011
【図１０】
2011116066.tif 000012
【図１１】
2011116066.tif 000013
【図１２】
2011116066.tif 000014
【図１３】
2011116066.tif 000015
【図１４】
2011116066.tif 000016
【図１５】
2011116066.tif 000017